(57)【要約】    【課題】  ネットワークを介して接続された端末との間で撮影した動画や情報のやり取りを円滑に行うことができる動画撮影装置及び方法、並びにプログラム及び記憶媒体を提供する。    【解決手段】  デジタルカメラ１０１は、内蔵サーバ１０２と、ディスプレイ１０１ａとを有し、内蔵サーバ１０２は、通信媒体１０４を介して、パソコン、ＰＤＡ、デジタルカメラ及びテレビ等のクライアント端末１０３に夫々接続している。クライアント端末１０３が内蔵サーバ１０２への接続を許可され、動画４０１の配信を受ける権限を有するときは、内蔵サーバ１０２は、クライアント端末１０３への動画４０１の配信を開始し、内蔵サーバ１０２がクライアント端末１０３からのメッセージ４０２を受信すると、デジタルカメラ１０１は、ディスプレイ１０１ａに受信したメッセージ４０２をテロップ表示する。【選択図】      図６
2005295447.tif 000002
【特許請求の範囲】
【請求項１】
動画を撮影する動画撮影手段と、前記撮影された動画を外部端末に配信する動画配信手段と、メッセージを表示するメッセージ表示手段とを備える動画撮影装置において、前記動画配信手段が前記動画を配信しているときに、前記配信された外部端末から送信されたメッセージを受信するメッセージ受信手段を備え、前記メッセージ表示手段は前記受信されたメッセージを表示することを特徴とする動画撮影装置。
【請求項２】
前記メッセージ表示手段は、前記受信されたメッセージをテロップ表示するテロップ表示手段を備えることを特徴とする請求項１記載の動画撮影装置。
【請求項３】
前記メッセージ表示手段は、前記受信されたメッセージをアイコン表示するアイコン表示手段を備えることを特徴とする請求項１又は２記載の動画撮影装置。
【請求項４】
前記アイコンは前記メッセージとリンクしており、前記メッセージ表示手段は、前記アイコンとリンクしたメッセージを表示するアイコンメッセージ表示手段を備えることを特徴とする請求項３記載の動画撮影装置。
【請求項５】
前記アイコンは前記メッセージとリンクしており、前記メッセージ受信手段は、前記アイコンとリンクしたメッセージを音声として出力するアイコン音声出力手段を備えることを特徴とする請求項３記載の動画撮影装置。
【請求項６】
前記メッセージ受信手段は、前記受信されたメッセージを音声として出力する音声出力手段を備えることを特徴とする請求項１乃至４のいずれか１項に記載の動画撮影装置。
【請求項７】
前記外部端末からの接続を許可又は禁止する認証手段と、前記外部端末に所定の権限を割り当てる権限割り当て手段と、前記外部端末が前記割り当てられた所定の権限を有するか否かを判別する判別手段と、前記外部端末が前記割り当てられた所定の権限を有する場合に、前記外部端末からの要求を許可する要求許可手段とをさらに備えることを特徴とする請求項１乃至６のいずれか１項に記載の動画撮影装置。
【請求項８】
前記所定の権限は、前記外部端末のメッセージを閲覧する権限を含むことを特徴とする請求項７記載の動画撮影装置。
【請求項９】
前記受信されたメッセージを格納するメッセージ格納手段と、前記メッセージ表示手段による前記メッセージの受信と同期した前記動画のフレームを前記メッセージと関連付けるメッセージリンク手段と、所定の検索条件により前記メッセージ格納手段内のメッセージを検索するメッセージ検索手段と、前記メッセージ検索手段が検索条件を満たすメッセージを検出したか否かを判別する判別手段と、前記メッセージ検索手段が検索条件を満たすメッセージを検出した場合に、前記メッセージと関連付けられた動画のフレームを取得する動画フレーム取得手段と、前記動画のフレームから動画の再生を開始する動画再生手段とを備えることを特徴とする請求項１乃至８のいずれか１項に記載の動画撮影装置。
【請求項１０】
前記音声出力手段が外部への音漏れを遮断することのできる受話手段である場合は、前記音声を前記動画に組み込む音声組込手段を有することを特徴とする請求項５乃至９のいずれか１項に記載の動画撮影装置。
【請求項１１】
前記受話手段はヘッドフォン又はイヤフォンであることを特徴とする請求項１０記載の動画撮影装置。
【請求項１２】
動画を撮影する動画撮影ステップと、前記撮影された動画を外部端末に配信する動画配信ステップと、メッセージを表示するメッセージ表示ステップとを備える動画撮影方法において、前記動画配信ステップで前記動画を配信しているときに、前記配信された外部端末から送信されたメッセージを受信するメッセージ受信ステップを備え、前記メッセージ表示ステップは前記受信されたメッセージを表示することを特徴とする動画撮影方法。
【請求項１３】
前記メッセージ表示ステップは、前記受信されたメッセージをテロップ表示するテロップ表示ステップを備えることを特徴とする請求項１２記載の動画撮影方法。
【請求項１４】
前記メッセージ表示ステップは、前記受信されたメッセージをアイコン表示するアイコン表示ステップを備えることを特徴とする請求項１２又は１３記載の動画撮影方法。
【請求項１５】
前記アイコンは前記メッセージとリンクしており、前記メッセージ表示ステップは、前記アイコンとリンクしたメッセージを表示するアイコンメッセージ表示ステップを備えることを特徴とする請求項１４記載の動画撮影方法。
【請求項１６】
前記アイコンは前記メッセージとリンクしており、前記メッセージ受信ステップは、前記アイコンとリンクしたメッセージを音声として出力するアイコン音声出力ステップを備えることを特徴とする請求項１４記載の動画撮影方法。
【請求項１７】
前記メッセージ受信ステップは、前記受信されたメッセージを音声として出力する音声出力ステップを備えることを特徴とする請求項１２乃至１６のいずれか１項に記載の動画撮影方法。
【請求項１８】
前記外部端末からの接続を許可又は禁止する認証ステップと、前記外部端末に所定の権限を割り当てる権限割り当てステップと、前記外部端末が前記割り当てられた所定の権限を有するか否かを判別する判別ステップと、前記外部端末が前記割り当てられた所定の権限を有する場合に、前記外部端末からの要求を許可する要求許可ステップとをさらに備えることを特徴とする請求項１２乃至１７のいずれか１項に記載の動画撮影方法。
【請求項１９】
前記所定の権限は、前記外部端末のメッセージを閲覧する権限を含むことを特徴とする請求項１８記載の動画撮影方法。
【請求項２０】
前記受信されたメッセージを格納するメッセージ格納ステップと、前記メッセージ表示ステップによる前記メッセージの受信と同期した前記動画のフレームを前記メッセージと関連付けるメッセージリンクステップと、所定の検索条件により前記メッセージ格納ステップ内のメッセージを検索するメッセージ検索ステップと、前記メッセージ検索ステップが検索条件を満たすメッセージを検出したか否かを判別する判別ステップと、前記メッセージ検索ステップが検索条件を満たすメッセージを検出した場合に、前記メッセージと関連付けられた動画のフレームを取得する動画フレーム取得ステップと、前記動画のフレームから動画の再生を開始する動画再生ステップとを備えることを特徴とする請求項１２乃至１９のいずれか１項に記載の動画撮影方法。
【請求項２１】
前記音声出力ステップが外部への音漏れを遮断することのできる受話ステップである場合は、前記音声を前記動画に組み込む音声組込手段を有することを特徴とする請求項１６乃至２０のいずれか１項に記載の動画撮影方法。
【請求項２２】
前記受話ステップはヘッドフォン又はイヤフォンであることを特徴とする請求項２１記載の動画撮影方法。
【請求項２３】
動画を撮影する動画撮影モジュールと、前記撮影された動画を外部端末に配信する動画配信モジュールと、メッセージを表示するメッセージ表示モジュールとをコンピュータに実行させる動画撮影プログラムにおいて、前記動画配信モジュールが前記動画を配信しているときに、前記配信された外部端末から送信されたメッセージを受信するメッセージ受信モジュールをさらにコンピュータに実行させ、前記メッセージ表示モジュールは前記受信されたメッセージを表示することを特徴とするプログラム。
【請求項２４】
請求項２３記載のプログラムを格納することを特徴とするコンピュータ読み取り可能な記憶媒体。
【発明の詳細な説明】
【技術分野】
【０００１】
本発明は、デジタルスチルカメラやデジタルカムコーダ等の動画撮影機能を備えた画像撮影装置及び方法、並びにプログラム及び記憶媒体に関し、特に、動画撮影装置及び方法、並びにプログラム及び記憶媒体に関する。
【背景技術】
【０００２】
ネットワークを介してデジタルカメラ、デジタルカムコーダ、ＰＤＡ及び携帯電話等の端末に接続されるマルチメディア通信機器としては、動画撮影装置があり、近年ではテレビ受像機も挙げられる。
【０００３】
従来のテレビ受像機は、ネットワークを介して上記端末が送信した電子メールを受信し、この電子メールをメッセージとして表示する機能を有する（例えば、特許文献１参照）。
【０００４】
また、従来の動画撮影装置は、ネットワークを介して上記端末に撮影した動画を配信する機能、及びディスプレイにメッセージを表示する機能を有する。
【特許文献１】特開平０７−２９８１５３号公報
【発明の開示】
【発明が解決しようとする課題】
【０００５】
しかしながら、従来の動画撮影装置は、確かに、メッセージを表示するが、表示されたメッセージは従来のテレビ受像機のようにネットワークを介して上記端末から送信されたものではなく、そもそもネットワークを介して上記端末が送信したメッセージを受信することができない。この装置は、また、例えメッセージを受信できたとしても、デジタルカメラのように表示領域の小さなディスプレイしか有しない場合は、メッセージの表示を効果的に行うことができない。これらにより、ネットワークを介して上記端末に接続された動画撮影装置は、上記端末との間で撮影した動画や情報のやり取りを円滑に行うことができない。
【０００６】
本発明の目的は、ネットワークを介して接続された端末との間で撮影した動画や情報のやり取りを円滑に行うことができる動画撮影装置及び方法、並びにプログラム及び記憶媒体を提供することにある。
【課題を解決するための手段】
【０００７】
上記目的を達成するために、請求項１記載の動画撮影装置は動画を撮影する動画撮影手段と、前記撮影された動画を外部端末に配信する動画配信手段と、メッセージを表示するメッセージ表示手段とを備える動画撮影装置において、前記動画配信手段が前記動画を配信しているときに、前記配信された外部端末から送信されたメッセージを受信するメッセージ受信手段を備え、前記メッセージ表示手段は前記受信されたメッセージを表示することを特徴とする。
【０００８】
請求項２記載の動画撮影装置は、請求項１記載の動画撮影装置において、前記メッセージ表示手段は、前記受信されたメッセージをテロップ表示するテロップ表示手段を備えることを特徴とする。
【０００９】
請求項３記載の動画撮影装置は、請求項１又は２記載の動画撮影装置において、前記メッセージ表示手段は、前記受信されたメッセージをアイコン表示するアイコン表示手段を備えることを特徴とする。
【００１０】
請求項４記載の動画撮影装置は、請求項３記載の動画撮影装置において、前記アイコンは前記メッセージとリンクしており、前記メッセージ表示手段は、前記アイコンとリンクしたメッセージを表示するアイコンメッセージ表示手段を備えることを特徴とする。
【００１１】
請求項５記載の動画撮影装置は、請求項３記載の動画撮影装置において、前記アイコンは前記メッセージとリンクしており、前記メッセージ受信手段は、前記アイコンとリンクしたメッセージを音声として出力するアイコン音声出力手段を備えることを特徴とする。
【００１２】
請求項６記載の動画撮影装置は、請求項１乃至４のいずれか１項に記載の動画撮影装置において、前記メッセージ受信手段は、前記受信されたメッセージを音声として出力する音声出力手段を備えることを特徴とする。
【００１３】
請求項７記載の動画撮影装置は、請求項１乃至６のいずれか１項に記載の動画撮影装置において、前記外部端末からの接続を許可又は禁止する認証手段と、前記外部端末に所定の権限を割り当てる権限割り当て手段と、前記外部端末が前記割り当てられた所定の権限を有するか否かを判別する判別手段と、前記外部端末が前記割り当てられた所定の権限を有する場合に、前記外部端末からの要求を許可する権限判断手段とをさらに備えることを特徴とする。
【００１４】
請求項８記載の動画撮影装置は、請求項７記載の動画撮影装置において、前記所定の権限は、前記外部端末のメッセージを閲覧する権限を含むことを特徴とする。
【００１５】
請求項９記載の動画撮影装置は、請求項１乃至８のいずれか１項に記載の動画撮影装置において、前記受信されたメッセージを格納するメッセージ格納手段と、前記メッセージ表示手段による前記メッセージの受信と同期した前記動画のフレームを前記メッセージと関連付けるメッセージリンク手段と、所定の検索条件により前記メッセージ格納手段内のメッセージを検索するメッセージ検索手段と、前記メッセージ検索手段が検索条件を満たすメッセージを検出したか否かを判別する判別手段と、前記メッセージ検索手段が検索条件を満たすメッセージを検出した場合に、前記メッセージと関連付けられた動画のフレームを取得する動画フレーム取得手段と、前記動画のフレームから動画の再生を開始する動画再生手段とを備えることを特徴とする。
【００１６】
請求項１０記載の動画撮影装置は、請求項５乃至９のいずれか１項に記載の動画撮影装置において、前記音声出力手段が外部への音漏れを遮断することのできる受話手段である場合は、前記音声を前記動画に組み込む音声組込手段を有することを特徴とする。
【００１７】
請求項１１記載の動画撮影装置は、請求項１０記載の動画撮影装置において、前記受話手段はヘッドフォン又はイヤフォンであることを特徴とする。
【００１８】
請求項１２記載の動画撮影装置は、動画を撮影する動画撮影ステップと、前記撮影された動画を外部端末に配信する動画配信ステップと、メッセージを表示するメッセージ表示ステップとを備える動画撮影方法において、前記動画配信ステップで前記動画を配信しているときに、前記配信された外部端末から送信されたメッセージを受信するメッセージ受信ステップを備え、前記メッセージ表示ステップは前記受信されたメッセージを表示することを特徴とする。
【００１９】
請求項１３記載の動画撮影装置は、請求項１２記載の動画撮影方法において、前記メッセージ表示ステップは、前記受信されたメッセージをテロップ表示するテロップ表示ステップを備えることを特徴とする。
【００２０】
請求項１４記載の動画撮影装置は、請求項１２又は１３記載の動画撮影方法において、前記メッセージ表示ステップは、前記受信されたメッセージをアイコン表示するアイコン表示ステップを備えることを特徴とする。
【００２１】
請求項１５記載の動画撮影装置は、請求項１４記載の動画撮影方法において、前記アイコンは前記メッセージとリンクしており、前記メッセージ表示ステップは、前記アイコンとリンクしたメッセージを表示するアイコンメッセージ表示ステップを備えることを特徴とする。
【００２２】
請求項１６記載の動画撮影装置は、請求項１４記載の動画撮影方法において、前記アイコンは前記メッセージとリンクしており、前記メッセージ受信ステップは、前記アイコンとリンクしたメッセージを音声として出力するアイコン音声出力ステップを備えることを特徴とする。
【００２３】
請求項１７記載の動画撮影装置は、請求項１２乃至１６のいずれか１項に記載の動画撮影方法において、前記メッセージ受信ステップは、前記受信されたメッセージを音声として出力する音声出力ステップを備えることを特徴とする。
【００２４】
請求項１８記載の動画撮影装置は、請求項１２乃至１７のいずれか１項に記載の動画撮影方法において、前記外部端末からの接続を許可又は禁止する認証ステップと、前記外部端末に所定の権限を割り当てる権限割り当てステップと、前記外部端末が前記割り当てられた所定の権限を有するか否かを判別する判別ステップと、前記外部端末が前記割り当てられた所定の権限を有する場合に、前記外部端末からの要求を許可する権限判断ステップとをさらに備えることを特徴とする。
【００２５】
請求項１９記載の動画撮影装置は、請求項１８記載の動画撮影方法において、前記所定の権限は、前記外部端末のメッセージを閲覧する権限を含むことを特徴とする。
【００２６】
請求項２０記載の動画撮影装置は、請求項１２乃至１９のいずれか１項に記載の動画撮影方法において、前記受信されたメッセージを格納するメッセージ格納ステップと、前記メッセージ表示ステップによる前記メッセージの受信と同期した前記動画のフレームを前記メッセージと関連付けるメッセージリンクステップと、所定の検索条件により前記メッセージ格納ステップ内のメッセージを検索するメッセージ検索ステップと、前記メッセージ検索ステップが検索条件を満たすメッセージを検出したか否かを判別する判別ステップと、前記メッセージ検索ステップが検索条件を満たすメッセージを検出した場合に、前記メッセージと関連付けられた動画のフレームを取得する動画フレーム取得ステップと、前記動画のフレームから動画の再生を開始する動画再生ステップとを備えることを特徴とするを特徴とする。
【００２７】
請求項２１記載の動画撮影装置は、請求項１６乃至２０のいずれか１項に記載の動画撮影方法において、前記音声出力ステップが外部への音漏れを遮断することのできる受話ステップである場合は、前記音声を前記動画に組み込む音声組込手段を有することを特徴とする。
【００２８】
請求項２２記載の動画撮影装置は、請求項２１記載の動画撮影方法において、前記受話ステップはヘッドフォン又はイヤフォンであることを特徴とする。
【００２９】
上記目的を達成するために、請求項２３記載のプログラムは、動画を撮影する動画撮影モジュールと、前記撮影された動画を外部端末に配信する動画配信モジュールと、メッセージを表示するメッセージ表示モジュールとを備えるプログラムにおいて、前記動画配信モジュールが前記動画を配信しているときに、前記配信された外部端末から送信されたメッセージを受信するメッセージ受信モジュールをさらにコンピュータに実行させ、前記メッセージ表示モジュールは前記受信されたメッセージを表示することを特徴とする。
【００３０】
上記目的を達成するために、請求項２４記載の記憶媒体は、請求項２３記載のプログラムを格納することを特徴とする。
【発明の効果】
【００３１】
請求項１記載の動画撮影装置及び請求項１２記載の動画撮影方法によれば、外部端末へ動画を配信しているときに、外部端末から送信されたメッセージを受信すると共に表示するので、ネットワークを介して接続された端末との間で撮影した動画や情報のやり取りを円滑に行うことができる。
【００３２】
請求項２記載の動画撮影装置及び請求項１３記載の動画撮影方法によれば、受信されたメッセージをテロップ表示するので、撮影者は受信されたメッセージの内容を即時に把握することができる。
【００３３】
請求項３記載の動画撮影装置及び請求項１４記載の動画撮影方法によれば、受信されたメッセージをアイコン表示するので、撮影者は、撮影作業を妨げられることなく、メッセージの受信を確認することができる。
【００３４】
請求項４記載の動画撮影装置及び請求項１５記載の動画撮影方法によれば、アイコンとメッセージがリンクしており、アイコンとリンクしたメッセージを表示するので、表示領域の小さなディスプレイしか有しない場合でも、メッセージの表示を効果的に行うことができる。
【００３５】
請求項５記載の動画撮影装置及び請求項１６記載の動画撮影方法によれば、アイコンとメッセージがリンクしており、アイコンとリンクしたメッセージを音声として出力するので、撮影者は受信されたメッセージの内容を確実に把握することができる。
【００３６】
請求項６記載の動画撮影装置及び請求項１７記載の動画撮影方法によれば、受信されたメッセージを音声として出力するので、撮影者は受信されたメッセージの内容を確実に把握することができる。
【００３７】
請求項７記載の動画撮影装置及び請求項１８記載の動画撮影方法によれば、外部端末が所定の権限を有するときに、外部端末からの要求を許可するので、外部端末の動作を制御することができる。
【００３８】
請求項９記載の動画撮影装置及び請求項２０記載の動画撮影方法によれば、所定の検索条件により、受信したメッセージを検索し、検索条件を満たすメッセージにリンクした動画のフレームを、外部端末に配信するので、外部撮影装置のユーザは、配信された動画のどのフレームに対して、メッセージを送信したのかを知ることができる。
【００３９】
請求項１０記載の動画撮影装置及び請求項２１記載の動画撮影方法によれば、音声を動画に組み込むので、受信されたメッセージ内容を、外部端末のユーザに確実に伝えることができる。
【００４０】
請求項１１記載の動画撮影装置及び請求項２２記載の動画撮影方法によれば、受話手段がヘッドフォン又はイヤフォンであるので、撮影者は、音声を明瞭に聴取することができる。
【発明を実施するための最良の形態】
【００４１】
以下、本発明の実施の形態を図面を用いて詳述する。
【００４２】
図１は、本発明の実施の形態に係る動画撮影装置を備える動画配信システムの構成を概略的に示すブロック図である。
【００４３】
図１の動画配信システム１００は、内蔵サーバ１０２、ディスプレイ１０１ａ（図７）、ＣＣＤ（不図示）（動画撮影手段）及び内蔵スピーカ（不図示）を有するデジタルカメラ１０１と、内蔵サーバ１０２に通信媒体１０４を介して夫々接続されたパソコン、ＰＤＡ、デジタルカメラ及びテレビ等のクライアント端末１０３とを備える。
【００４４】
デジタルカメラ１０１は、動画を撮影すると共に音声を出力し、内蔵サーバ１０２は、デジタルカメラ１０１が撮影した動画をネットワークを介してクライアント端末１０３に配信すると共に、クライアント端末１０３が送信したメッセージを受信し、受信したメッセージ及びその他の情報を格納する。
【００４５】
クライアント端末１０３は、デジタルカメラ１０１とネットワークを介して接続することが可能な端末であり、内蔵サーバ１０２が配信した動画を受信すると共に、内蔵サーバ１０２にメッセージを送信する。
【００４６】
通信媒体１０４は、ＵＳＢケーブル、イーサーネット及び無線ＬＡＮ等であり、動画配信システム１００は通信媒体１０４を介してデータの送受信を行う。
【００４７】
図２は、図１におけるデジタルカメラの構成を概略的に示すブロック図である。
【００４８】
図２において、デジタルカメラ１０１は、ＣＰＵ２０１、ＲＯＭ２０２、ＲＡＭ２０３、外部記憶手段２０４、入力手段２０５、表示手段２０６、音声出力手段２０７、及び通信手段２０８を備え、これらはシステムバスを介して互いに接続されている。
【００４９】
ＣＰＵ２０１は、デジタルカメラ１０１の制御及び各種プログラムの起動を行い、読出し専用記憶装置であるＲＯＭ２０２は、ＣＰＵ２０１によって実行されるデジタルカメラ１０１の制御プログラム及び各種プログラム群を記憶しており、ＲＡＭ２０３は、ＣＰＵ２０１が各種プログラムを実行するためのワークエリアとして使用される。
【００５０】
外部記憶手段２０４は、プログラムファイル及びデータファイルを格納し、入力手段２０５は、各種データの表示及び入力手段２０５の操作を行い、音声出力手段２０７は、音声を出力し、通信手段２０８は、クライアント端末１０３とデータの送受信を行う。
【００５１】
図３は、図１の動画配信システム１００によって実行される動画配信システム制御処理を示すフローチャートである。
【００５２】
図３において、まず、クライアント端末１０３が内蔵サーバ１０２に接続されたか否かを判別し（ステップＳ３０１）、クライアント端末１０３が内蔵サーバ１０２に接続されないときは、直ちに本処理を終了し、一方、接続されたときは、内蔵サーバ１０２はクライアント端末１０３が送信したメッセージを受信したか否かを判別する（ステップＳ３０２）。
【００５３】
ステップＳ３０２の判別の結果、クライアント端末１０３がメッセージを受信していないときは、図４の動画配信処理を実行して、内蔵サーバ１０２はクライアント端末１０３へ動画の配信を開始して（ステップＳ３０３）、本処理を終了する。一方、ステップＳ３０２の判別の結果、クライアント端末１０３がメッセージを受信したときは、図６のメッセージ表示処理を実行して、ディスプレイ１０１ａに受信したメッセージを表示させ（ステップＳ３０４）、さらに、図８のメッセージ転送処理を実行して、内蔵サーバ１０２は、メッセージがテロップ表示された動画をクライアント端末１０３に配信し（ステップＳ３０５）、本処理を終了する。
【００５４】
図３の処理によれば、クライアント端末１０３がメッセージを受信したときは（ステップＳ３０２でＹＥＳ）、ディスプレイ１０１ａに受信したメッセージを表示させ（ステップＳ３０４）、内蔵サーバ１０２は、メッセージがテロップ表示された動画をクライアント端末１０３に配信する（ステップＳ３０５）ので、デジタルカメラ１０１は、通信媒体を介して接続されたクライアント端末１０３との間で、デジタルカメラ１０１が撮影した動画や情報のやり取りを円滑に行うことができる。
【００５５】
図４は、図３のステップＳ３０３で実行される動画配信処理を示すフローチャートである。
【００５６】
図４において、内蔵サーバ１０２は、クライアント端末１０３からの接続要求を受けると（ステップＳ４０１でＹＥＳ）、クライアント端末１０３の認証確認を行い（ステップＳ４０２）（認証手段）、次に、クライアント端末１０３が内蔵サーバ１０２への接続が許可されているか否かを判別し（ステップＳ４０３）、内蔵サーバ１０２への接続が許可されているときは、内蔵サーバ１０２はクライアント端末１０３と接続する（ステップＳ４０４）。
【００５７】
次いで、内蔵サーバ１０２は、クライアント端末１０３が動画の配信を受信する権限を有するか否かを判別し（ステップＳ４０５）、クライアント端末１０３が前述の権限を有するときは、内蔵サーバ１０２は、クライアント端末１０３への動画４０１の配信を開始し（ステップＳ４０６）（図５）（動画配信手段）、本処理を終了する。
【００５８】
ステップＳ４０３の判別の結果、クライアント端末１０３が内蔵サーバ１０２への接続を許可されていないときは、内蔵サーバ１０２は、クライアント端末１０３との接続を切断して（ステップＳ４０８）、本処理を終了する。
【００５９】
ステップＳ４０５の判別の結果、クライアント端末１０３が動画４０１の配信を受信する権限を有しないときは、内蔵サーバ１０２は、クライアント端末１０３に警告メッセージを送信し（ステップＳ４０７）、本処理を終了する。
【００６０】
図４の処理のよれば、クライアント端末１０３が内蔵サーバ１０２への接続を許可され（ステップＳ４０３でＹＥＳ）、動画４０１の配信を受信する権限を有するときは（ステップＳ４０５でＹＥＳ）、内蔵サーバ１０２は、クライアント端末１０３への動画４０１の配信を開始する（ステップＳ４０６）ので、動画４０１の配信を受信する権利を有さないクライアント端末１０３への動画４０１の配信を禁止することができる。
【００６１】
図６は、図３のステップＳ３０４で実行されるメッセージ表示処理を示すフローチャートである。
【００６２】
図６において、内蔵サーバ１０２は、クライアント端末１０３からのメッセージ４０２を受信すると（ステップ５０１でＹＥＳ）（図５）（メッセージ受信手段）、クライアント端末１０３が内蔵サーバ１０２にメッセージ４０２を登録する権限を有するか否かを判別し（ステップＳ５０２）、権限を有しないときは、直ちに本処理を終了し、一方、クライアント端末１０３が権限を有するときは、内蔵サーバ１０２は受信したメッセージ４０２を登録する（ステップＳ５０３）。図５のメッセージ４０２の例は図７に示される。
【００６３】
次いで、メッセージ４０２の表示手段として「テロップ表示」、「アイコン表示」及び「音声出力」のいずれが選択されたかを判別し（ステップＳ５０４）、「アイコン表示」が選択されたときは、ディスプレイ１０１ａにメッセージ４０２に対応するアイコン１０１ｂを表示し（ステップＳ５０８）（図７（ａ））（アイコン表示手段）、この表示はディスプレイ１０１ａに表示されたアイコン１０１ｂのうち1つが選択されるまで行われ（ステップＳ５０９でＮＯ）、次いで、アイコン１０１ｂのうち１つが選択されたときは、選択されたアイコン１０１ｂとリンクしたメッセージ４０２を全画面表示すると共に（ステップＳ５１０）（アイコンメッセージ表示手段）、動画４０１をディスプレイ１０１ａの右下部に縮小表示して（図７（ｂ））、本処理を終了する。また、アイコン１０１ｂのうち１つが選択されたときに、デジタルカメラ１０１は、受信したメッセージ４０２を音声に変換し（ステップＳ５１１）、音声を内蔵スピーカに出力させることも可能である（ステップＳ５１２）（アイコン音声出力手段）。
【００６４】
ステップＳ５０４の判別の結果、「テロップ表示」が選択されたときは、デジタルカメラ１０１は、ディスプレイ１０１ａの下部に別のメッセージが表示されているか否かを判別し（ステップＳ５０６）、表示されていないときは、デジタルカメラ１０１は、ディスプレイ１０１ａに受信したメッセージ４０２をテロップ表示し（ステップＳ５１０）（図７（ｃ））（テロップ表示手段）。本処理を終了する。
【００６５】
ステップＳ５０６の判別の結果、別のメッセージが表示されているときは、内蔵サーバ１０２は該メッセージをキューに保存し（ステップＳ５０７）、ステップＳ５０６以降の処理を繰り返す。
【００６６】
また、ステップＳ５０４の判別の結果、「音声変換」が選択されたときは、デジタルカメラ１０１は、受信したメッセージ４０２を音声に変換し（ステップＳ５１１）、音声を内蔵スピーカに出力させ（ステップＳ５１２）（音声出力手段）、本処理を終了する。
【００６７】
図６の処理によれば、クライアント端末１０３が内蔵サーバ１０２にメッセージ４０２を登録する権限を有し（ステップＳ５０２でＹＥＳ）、メッセージ４０２の表示手段として「アイコン表示」を選択し（ステップＳ５０４で「アイコン表示」）、ディスプレイ１０１ａに表示されたアイコン１０１ｂのうち１つが選択されたときは（ステップＳ５０９でＹＥＳ）、デジタルカメラ１０１は、受信したメッセージ４０２をディスプレイ１０１ａにテロップ表示する（ステップＳ５１０）ので、撮影者はクライアント端末１０３からの撮影方向やズーム等の撮影指示を知り、撮影に反映することができる。
【００６８】
図８は、図３のステップＳ３０５で実行されるメッセージ転送処理を示すフローチャートである。
【００６９】
図８において、デジタルカメラ１０１が、クライアント端末１０３が送信したメッセージ４０２を受信すると（ステップＳ１２０１でＹＥＳ）、受信したメッセージ４０２をディスプレイ１０１ａにテロップ表示する（ステップＳ１２０２）。次に、デジタルカメラ１０１は、受信したメッセージ４０２が、受信したメッセージ４０２の送信元以外のクライアント端末１０３からの閲覧要求を拒否するブラインド（Blind）設定であるか否かを判別し（ステップＳ１２０３）、ブラインド設定であるときは、直ちに本処理を終了し、ブラインド設定でないときは、受信したメッセージ４０２の送信元以外のクライアント端末１０３の権限を取得する（ステップＳ１２０４）（権限割り当て手段）。次いで、デジタルカメラ１０１は、クライアント端末１０３が、他のクライアント端末１０３が送信したメッセージ４０２を閲覧要求できる権限を有するか否かを判別し（ステップ１２０５）、該権限を有すときはクライアント端末１０３による閲覧要求を許可し（要求許可手段）、内蔵サーバ１０２は、メッセージ４０２がテロップ表示された動画４０１をクライアント端末１０３に配信することによって（ステップＳ１２０６）、メッセージ４０２をクライアント端末１０３に転送し、本処理を終了する。
【００７０】
ステップ１２０５の判別の結果、上記権限を有しないときは、内蔵サーバ１０２は、メッセージ４０２がテロップ表示されていない動画４０１をクライアント端末１０３に配信し（ステップＳ１２０７）、本処理を終了する。
【００７１】
図８の処理によれば、受信したメッセージ４０２がBlind設定であり（ステップＳ１２０３でＮＯ）、クライアント端末１０３が、他のクライアント端末１０３が送信したメッセージ４０２を閲覧できる権限を有すときは（ステップ１２０５でＹＥＳ）、内蔵サーバ１０２は、メッセージ４０２がテロップ表示された動画４０１をクライアント端末１０３に配信することによって（ステップＳ１２０６）、任意のクライアント端末１０３から受信したメッセージ４０２を他のクライアント端末１０３に転送するので、クライアント端末１０３は、他のクライアント端末１０３が内蔵サーバ１０３に送信したメッセージ４０２を閲覧することができる。
【００７２】
図９は、図１におけるデジタルカメラの第１の変形例の構成を概略的に示すブロック図である。
【００７３】
図９において、デジタルカメラ７０１は、内蔵サーバ７０２と、ディスプレイ７０１ａと、スピーカ又はヘッドフォン用の接続端子（不図示）とを有し、この接続端子にはスピーカ７０３又はヘッドフォン７０４（受話手段）が接続されている。ヘッドフォン７０４はイヤフォンであってもよい。
【００７４】
デジタルカメラ７０１は、クライアント端末１０３からメッセージ４０２を受信すると、後述の図１０の音声出力処理を行う。スピーカ７０３及びヘッドフォン７０４は、デジタルカメラ７０１が出力した音声信号に対応する音声を出力する。
【００７５】
図９のデジタルカメラ７０１によれば、ヘッドフォン７０４をデジタルカメラ７０１に接続した場合、デジタルカメラ７０１は、撮影者に、出力された音声をヘッドフォン７０４を用いて聴取させることができ、もって外部への音漏れを遮断することができる。
【００７６】
図１０は、図９のデジタルカメラによって実行される音声出力処理を示すフローチャートである。
【００７７】
図１０において、内蔵サーバ７０２は、クライアント端末１０３からのメッセージ４０２を受信すると（ステップＳ８０１でＹＥＳ）（図５）、クライアント端末１０３が内蔵サーバ７０２にメッセージ４０２を登録する権限を有するか否かを判別し（ステップＳ８０２）、権限を有しないときは、直ちに本処理を終了し、一方、クライアント端末１０３が権限を有するときは、内蔵サーバ７０２は受信したメッセージ４０２を登録する（ステップＳ８０３）。
【００７８】
続くステップＳ８０４では、デジタルカメラ７０１の接続端子にスピーカ７０３が接続されているか否かを判別し、スピーカ７０３が接続されているときは、デジタルカメラ７０１は、メッセージ４０２を音声に変換して、スピーカ７０３から該音声を出力し、一方、ヘッドフォン７０４が接続されているときは、デジタルカメラ７０１は、メッセージ４０２を音声に変換して、該音声を動画４０１に組み込むか、又は、動画４０１とリンクさせ（ステップＳ８０６）、本処理を終了する。
【００７９】
図１０の処理によれば、クライアント端末１０３が内蔵サーバ７０２にメッセージ４０２を登録する権限を有し（ステップＳ８０２でＹＥＳ）、接続端子にスピーカ７０３が接続されているときは（ステップＳ８０４でＹＥＳ）、デジタルカメラ７０１は、スピーカ７０３からメッセージ４０２に対応した音声を出力する（ステップＳ８０５）ので、ディスプレイ７０１ａにメッセージ４０２を表示するための領域を確保する必要を無くすことができ、ディスプレイ７０１ａの表示領域が小さい場合でも、撮影者にメッセージ４０２を効果的に伝えることができる。
【００８０】
図１１は、図１におけるデジタルカメラの第２の変形例の構成を概略的に示すブロック図である。
【００８１】
図１１のデジタルカメラ９０１は、動画配信サーバ９０２、メッセージサーバ９０４（メッセージ格納手段）及びディスプレイ９０１ａ（不図示）を有し、動画配信サーバ９０２及びメッセージサーバ９０４は、通信媒体１０４を介して、パソコン、ＰＤＡ、デジタルカメラ及びテレビ等のクライアント端末１０３に夫々接続している。
【００８２】
動画配信サーバ９０２は、クライアント端末１０３に動画４０１を配信し、メッセージサーバ９０４は、クライアント端末１０３が送信したメッセージ４０２を受信する。
【００８３】
図１１のデジタルカメラ９０１は、メッセージサーバ９０４がクライアント端末１０３によって送信されたメッセージ４０２を受信すると、後述する図１２のメッセージリンク処理を実行し、次いで、後述する図１３の検索処理を実行する。
【００８４】
図１２は、図１１のデジタルカメラによって実行されるメッセージ処理を示すフローチャートである。
【００８５】
図１２において、メッセージサーバ９０４は、クライアント端末１０３が送信したメッセージ４０２を受信して、ディスプレイ９０１ａに表示すると（ステップＳ９０１でＹＥＳ）、この時点で動画配信サーバ９０２がクライアント端末１０３に配信している動画４０１のファイル情報及びフレーム情報を動画配信サーバ９０２より取得し（ステップＳ９０２）、メッセージ４０２と該フレーム情報とをリンクするリンク情報を格納し（ステップＳ９０３）（メッセージリンク手段）、メッセージ４０２がすべて削除されるまで、ステップＳ９０２〜Ｓ９０４の処理を繰り返す（ステップＳ９０４でＮＯ）。メッセージ４０２がすべて削除されると、メッセージサーバ９０４は、メッセージ４０２のリンク情報を削除して（ステップＳ９０５）、本処理を終了する。
【００８６】
図１３は、図１１のデジタルカメラによって実行される検索処理を示すフローチャートである。
【００８７】
図１３において、クライアント端末１０３は、クライアント端末１０３で起動されているウェブブラウザ等のツールにおいて、メッセージ４０２の受信日時及び送信日時、メッセージ４０２内のキーワード、件名、送信者並びに受信者等の検索条件を設定し（ステップＳ１０１０）（図１４（ａ））、該ツールの検索ボタンが押下されると（ステップＳ１０２０でＹＥＳ）、メッセージサーバ９０４は、該検索条件を満たすメッセージ４０２を検索し（ステップＳ１０３０）（メッセージ検索手段）、該検索条件を満たすメッセージ４０２が存在するときは（ステップＳ１０４０でＹＥＳ）、メッセージサーバ９０４は、メッセージ４０２が有するリンク情報からフレーム情報を取得し（ステップＳ１０５０）（動画フレーム取得手段）、前述のツールは、メッセージ４０２及びフレーム情報を結果一覧として表示する（ステップＳ１０６０）（図１４（ｂ））。次いで、表示された結果一覧から、メッセージ４０２又はフレームの１つが選択されたときは（ステップＳ１０７０でＹＥＳ）、デジタルカメラ９０１は、選択されたフレーム又は選択されたメッセージ４０２に対応するフレームを含む動画４０１を、フレームの位置から再生する（ステップＳ１０８０）（動画再生手段）。
【００８８】
ステップＳ１０４０の判別の結果、検索条件を満たすメッセージ４０２が存在しないときは、ステップＳ１０２０〜Ｓ１０４０の処理を繰り返す。
【００８９】
ステップＳ１０７０の判別の結果、メッセージ４０２又はフレームの１つが選択されないときは、ステップＳ１０６０及びＳ１０７０の処理を繰り返す。
【００９０】
図１２及び図１３の処理によれば、クライアント端末１０３は、クライアント端末１０３で起動されているウェブブラウザ等のツールにおいて検索条件を設定し、メッセージサーバ９０４は、メッセージサーバ９０４が受信したメッセージ４０２を検索し（ステップＳ１０３０）、該検索条件を満たすメッセージ４０２が有するリンク情報からフレーム情報を取得し（ステップＳ１０５０）、前述のツールは、メッセージ４０２及びフレーム情報を結果一覧として表示する（ステップＳ１０６０）ので、クライアント端末１０３のユーザは、メールサーバ９０４が受信したメッセージ４０２から、メールサーバ９０４が該メッセージを受信し表示したときの動画４０１のフレームを検索することができ、クライアント端末１０３のユーザは、配信された動画４０１のどのフレームに対して、メッセージ４０２を送信したのかを知ることができる。
【００９１】
（他の実施形態）
上記実施形態では、デジタルカメラの動画配信を例に本発明を説明したが、本発明は動画に限るものではなく、静止画撮影及び配信を行う際も同様に適用可能であることは言うまでもない。
【００９２】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００９３】
この場合、記憶媒体から読み出されたプログラムコード自体が前述した実施形態の機能を実現することになり、そのプログラムコードを記憶した記憶媒体は本発明を構成することになる。
【００９４】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００９５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９６】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００９７】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００９８】
【図１】本発明の実施の形態に係る動画撮影装置を備える動画配信システムの構成を概略的に示すブロック図である。
【図２】図１におけるデジタルカメラの構成を概略的に示すブロック図である。
【図３】図１の動画配信システムによって実行される動画配信システム制御処理を示すフローチャートである。
【図４】図３のステップＳ３０３で実行される動画配信処理を示すフローチャートである。
【図５】図１の動画配信システムの作動を説明するのに用いられる図である。
【図６】図３のステップＳ３０４で実行されるメッセージ表示処理を示すフローチャートである。
【図７】図１におけるデジタルカメラのディスプレイの表示例を説明するのに用いられる図である。
【図８】図３のステップＳ３０５で実行されるメッセージ転送処理を示すフローチャートである。
【図９】図１におけるデジタルカメラの第１の変形例の構成を概略的に示すブロック図である。
【図１０】図９のデジタルカメラによって実行される音声出力処理を示すフローチャートである。
【図１１】図１におけるデジタルカメラの第２の変形例の構成を概略的に示すブロック図である。
【図１２】図１１のデジタルカメラによって実行されるメッセージ処理を示すフローチャートである。
【図１３】図１１のデジタルカメラによって実行される検索処理を示すフローチャートである。
【図１４】図１１におけるクライアント端末で起動しているウェブブラウザ等のツールの表示例を説明するのに用いられる図である。
【符号の説明】
【００９９】
１０１  デジタルカメラ
１０１ａ  ディスプレイ
１０２  内蔵サーバ
１０３  クライアント端末
１０４  通信媒体
２０１  ＣＰＵ
２０２  ＲＯＭ
２０３  ＲＡＭ
２０４  外部記憶手段
２０５  入力手段
２０６  表示手段
２０７  音声出力手段
２０８  通信手段
【図１】
2005295447.tif 000003
【図２】
2005295447.tif 000004
【図３】
2005295447.tif 000005
【図４】
2005295447.tif 000006
【図５】
2005295447.tif 000007
【図６】
2005295447.tif 000008
【図７】
2005295447.tif 000009
【図８】
2005295447.tif 000010
【図９】
2005295447.tif 000011
【図１０】
2005295447.tif 000012
【図１１】
2005295447.tif 000013
【図１２】
2005295447.tif 000014
【図１３】
2005295447.tif 000015
【図１４】
2005295447.tif 000016